(57)【要約】【課題】基板ケースの封止機構を成形しやすい簡単な構造とし、遊技機の製造コストを抑制すること。【解決手段】回路基板と第１ケース及び第２ケースを有して内部に回路基板が設けられた基板ユニットを備えた遊技機において、前記第１封止部と第２封止部に夫々挿通孔が設けられ、前記封止部材は、前記挿通孔に挿通されるものであって、塑性変形可能な素材により筒状部を有すると共に前記第１又は第２ケース側に接当するフランジを前記筒状部の一端側に備え、その他端側に螺合部を備えており、前記螺合部に対する螺合手段の螺合によって前記筒状部の一部を塑性変形させて変形部を形成することにより該変形部と前記フランジとによって前記第１封止部と第２封止部とを連結固定してある。【選択図】図２１
2007215626.tif 000002
【特許請求の範囲】
【請求項１】
回路基板と第１ケース及び第２ケースを有して内部に回路基板が設けられた基板ユニットであって、前記第１ケース側に設けられる第１封止部と、前記第２ケース側に設けられる第２封止部と、その第１封止部と第２封止部とを連結する封止部材とを有し、その封止部材によって前記第１封止部と第２封止部とが連結されている場合に前記回路基板を取り出すときには基板ユニットを破壊するか或いは所定の部位を切断することを必要とする基板ユニットを備えた遊技機において
前記第１封止部と第２封止部に夫々挿通孔が設けられ、
前記封止部材は、前記挿通孔に挿通されるものであって、塑性変形可能な素材により筒状部を有すると共に前記第１又は第２ケース側に接当するフランジを前記筒状部の一端側に備え、その他端側に螺合部を備えており、
前記螺合部に対する螺合手段の螺合によって前記筒状部の一部を塑性変形させて変形部を形成することにより該変形部と前記フランジとによって前記第１封止部と第２封止部とを連結固定してあることを特徴とする遊技機。
【発明の詳細な説明】
【技術分野】
【０００１】
本発明は、パチンコ機やスロットマシンに代表される遊技機に関し、より詳しくは、制御基板を収容可能な基板ケースを備えた遊技機に関するものである。
【背景技術】
【０００２】
従来の遊技機には、遊技に関わる種々の制御を司る制御基板を基板ケースに収容したものがある（例えば、特許文献１，２参照）。この種の基板ケースは、複数の封止機構が設けられ、それらを順次利用して封止される。即ち、監督官庁等の検査機関による検査の際には、現在封止されている封止機構を破壊して基板ケースを開封すると共に、検査後に未使用の封止機構を用いて基板ケースを再度封止する。そして、検査回数を履歴として残すようにし、検査回数と破壊された封止機構の数とを照合することにより、不正行為によって封止機構が破壊されたことがあるか否かを判定する。なお、不正行為は、正規な制御プログラムが格納されているＲＯＭを不正な制御プログラムが格納されているＲＯＭに交換すること等を目的としてなされる。
【０００３】
【特許文献１】特開２００５−１０２８３４号公報
【特許文献２】特開２００５−１５２２９７号公報
【発明の開示】
【発明が解決しようとする課題】
【０００４】
しかしながら、従来の遊技機は、封止機構が破壊されたことがあるか否かを容易に判定できる一方、破壊された封止機構を容易に復元できないようにするという観点から、基板ケースの封止機構の構造が上記特許文献に示されているように複雑になっていた。このため、基板ケースを成形しづらく製造コストが嵩むという問題があった。
【０００５】
本発明は斯かる課題に鑑み創案されたものであって、その目的は、基板ケースの封止のための構造が簡単で成形しやすく、製造コストを抑制できると共に封止のための作業も簡単に行い得るところの遊技機を提供することにある。
【課題を解決するための手段】
【０００６】
下記課題を解決するための手段を説明するにあたり、名称の意味合いを定義しておく。
本発明に言う「第１ケースと第２ケース」とは、2つ割りの何れを第１とし、第２とするかは相対的なものであり、何れの側を第１ケースと第２ケースと呼称しても差し支えないが、本発明では、総括して第１ケースと第２ケースと呼称し、封止部材を挿通させて受け止める側を第１ケースと呼称している。
また、第１ケースと第２ケースは、互いに面或いは段部の突合せ状態で合わせてケースを構成するタイプも、一方を他方に蓋のように被せて嵌合させてケースを構成するタイプも含まれる。
そして、封止部材が「筒状」に構成される点について、その断面が円形でなくともよく、例えば、正方形、矩形、三角形、楕円、長円のもの等も含まれ、中空形状のものを意味する。又、この場合、筒状の軸線に対応するのは、夫々の中心を通る中心線、即ち、正方形、矩形であればその対角線の交わる点、三角形の場合には各辺の中間点から伸ばした垂線の交点、楕円の場合は、焦点の中間点、長円の場合は、長径線と短径線の交点、を通る封止部材の長手方向の線を言う。
同様に、封止部材のフランジについても、その平面視が、円形のみならず、正方形、矩形、三角形、楕円、長円のもの等も含まれる。
その他、具体的には、以下の実施例において詳細に言及している。
【０００７】
本発明にかかる遊技機は、上記目的を達成するために、手段１として、回路基板と第１ケース及び第２ケースを有して内部に回路基板が設けられた基板ユニットであって、前記第１ケース側に設けられる第１封止部と、前記第２ケース側に設けられる第２封止部と、その第１封止部と第２封止部とを連結する封止部材とを有し、その封止部材によって前記第１封止部と第２封止部とが連結されている場合に前記回路基板を取り出すときには基板ユニットを破壊するか或いは所定の部位を切断することを必要とする基板ユニットを備えた遊技機において
前記第１封止部と第２封止部に夫々挿通孔が設けられ、
前記封止部材は、前記挿通孔に挿通されるものであって、塑性変形可能な素材により筒状部を有すると共に前記第１又は第２ケース側に接当するフランジを前記筒状部の一端側に備え、その他端側に螺合部を備えており、
前記螺合部に対する螺合手段の螺合によって前記筒状部の一部を塑性変形させて変形部を形成することにより該変形部と前記フランジとによって前記第１封止部と第２封止部とを連結固定してある、
ことを特徴とする。
【０００８】
前記第１封止部と第２ケース封止部とを合わせて第１又は第２封止部の挿通孔から第１封止部に向けて封止部材を挿通し、螺合手段を封止部材のフランジ側から先端側、即ち螺合部に向けて筒状部内に挿入し、前記フランジを前記第２封止部に接当させて該封止部材を回転させない状態にしておいて、螺合部に螺合させて行く。所定の螺合が進行した状態で、前記螺合手段の位置を固定（例えば、螺合手段がボルト（ネジ）の場合は、そのボルトの頭が封止部材のフランジの上面に圧接して必然的に固定される）して螺合回転を続行させると、前記螺合部を前記フランジ側に向け引っ張る軸線方向の力が、圧縮力として封止部材の筒状部に作用する。
【０００９】
この際、前記筒状部の主要部、即ち、前記第１封止部と第２封止部の挿通孔内に収まっている部分については、前記圧縮力によって変形しようとしても前記挿通孔内面で規制されるが、前記第１封止部から突出している一部分については、前記圧縮力を支持するものがなく、その結果、この部分が拡径状態に塑性変形（座屈）されることになる。これにより変形された変形部が、第１封止部の挿通孔の周囲を押圧することになり、該変形部と前記フランジとによって前記第１封止部と第２封止部とが連結固定されるのである。
【００１０】
手段２：手段１の遊技機において、
前記封止部材の螺合部の外径が筒状部の外径よりも小径に構成されていることを特徴とする。
このように構成することで、上述したように螺合部に対して螺合手段が作用した際、前記筒状部に対して作用する軸線方向の圧縮力を、該螺合部よりも外側に位置する部分がある筒状部を内側から外側に向けて拡径させる方向に作用させ易くなり、拡径方向での座屈を確実なものとすることができて、変形部の形成をカシメ作用が十分に発揮できる鍔状にすることができる。
【００１１】
手段３：手段１又は手段２の遊技機において、
前記封止部材の筒状部の内径よりも小径の連通孔が筒状部から螺合部の先端に開通されていることを特徴とする。
このように螺合部に連通孔を予め形成することにより、前記封止部材のフランジ側から差し込む螺合手段を螺合部に切り込みながら螺合させる場合、その螺進の力が少なくて済み、同時に、筒状部の内径が螺合部の内径よりも大径となるものであるから、両者の内径の段差によって、上述した圧縮力が螺合部から軸線方向に作用した際に、前記連通孔よりも半径方向の外側に位置することになる大径の筒状部に対して、これを確実に拡径させる方向に伝達することができ、これによって、変形部を確実に外向きに変形させてカシメ機能を良好に発揮できる鍔状体を形成し、以って、第１封止部と第２封止部との連結封止を良好に行うことができる。
【００１２】
手段４：手段１又は手段２の遊技機において、
前記封止部材の筒状部を有底の筒状体に構成して、その有底部分を螺合部に構成してあることを特徴とする。
このように、螺合部を中実に構成しておいて、これに螺合手段を切り込みながら螺進させるように構成すると、螺合手段のねじ切りドリル、或いはボルトが螺子部に密着状態で螺合できることになり、螺合手段による圧縮力発生を確実に螺合部から筒状部へと伝達できる。従って、予め上述した如き連通孔が形成されている場合には、使用する螺合手段のねじ切りドリル、或いはボルト（ネジ）をその連通孔に比べて僅かに大径であるものを選択すると、螺合部に対する切込み深さが浅くなって、螺合部分でネジ山が崩れて強力な螺合状態が得られなくなるという虞があるが、この手段によれば、適当な外径のねじ切りドリル、或いはボルト（ネジ）を使用しても、発生する圧縮力を確実に伝達してカシメ作用を行うことができる。
【００１３】
手段５：手段１又は手段２の遊技機において、
前記封止部材の螺合部に、前記筒状部の軸線と同心状のネジ孔が予め形成されていることを特徴とする。前記筒状部の軸線とは上記の定義の通りである。
このように、予めネジ孔が形成されていることによって、このネジ孔に合致するボルト或いはネジを利用して、電動或いは手動のドライバーで、上述した如き切り込み抵抗のない状態で螺合させて行き、その後、ボルト或いはネジの頭が前記フランジ部に接当した状態で、更に強制回動させることで圧縮力を発生させて筒状部を塑性変形させることができ、汎用性のあるネジ、ボルトを準備しておけば、容易にカシメ作業を行い得る。
【００１４】
手段６：手段１乃至手段５に記載の遊技機において、
前記第１封止部及び第２封止部の少なくとも一方に封止部材の相対回転を規制する係合部を設けたことを特徴とする。
これにより、螺合手段の回転操作のみで基板ケースを封印できる。すなわち、第１封止部及び第２封止部と封止部材との相対回転を工具等で規制する必要がなく、基板ケースの封印操作が極めて容易になる。
【００１５】
手段７：手段１乃至手段５に記載の遊技機において、
前記封止部材のフランジを多角形状とし、第１封止部の内周部を封止部材のフランジに対応する略角形孔状としたことを特徴とする。
このように、封止部材の相対回動を阻止する手段として、封止部材のフランジと第１封止部の内周部の形状を特異な形状とする構造的対処法を採ることで、格別の相対回動阻止手段を導入することなく実施できる。
【００１６】
手段８：手段１乃至手段７に記載の遊技機において、
前記封止部材の筒状部の外形を多角形状とし、第１封止部の挿通孔及び第２封止部の挿通孔の少なくとも一方を封止部材の筒状部の外形に対応する多角形状としたことを特徴とする。
このように、封止部材の相対回動を阻止する手段として、封止部材の筒状部と第１封止部の挿通孔及び第２封止部の挿通孔の少なくとも一方の形状を特異な形状とする構造的対処法を採ることで、格別の相対回動阻止手段を導入することなく実施できる。
【００１７】
手段９：手段１乃至手段５に記載の遊技機において、
前記封止部材のフランジと第１側封止部との接触部の摩擦係数を高くして封止部材と第１封止部の相対回転を規制したことを特徴とする。
このように、封止部材の相対回動を阻止する手段として、例えば、封止部材のフランジの周面にローレット仕上げ（メッシュの刻設）を施す等の摩擦係数を高くする手段を用いることで、両者の接触部の構造的な対処法を利用して、格別の部材を備えることなく、或いは、相対回動阻止手段を用いることなく、封止部材の回動規制の目的を達成できる。
【００１８】
手段１０：手段１乃至手段５に記載の遊技機において、
前記封止部材のフランジと第１封止部との接触部のいずれか一方側に凹部を設け、他方側に前記凹部に嵌合する凸部を設けたことを特徴とする。
このように、封止部材の相対回動を阻止する手段として、両者の接触部に凹凸部を形成するという簡単な構造的対処法を採ることによって、格別の部材を備えることなく、或いは、相対回動阻止手段を用いることなく、回動阻止を行い得る。
【００１９】
手段１１：手段１乃至手段５に記載の遊技機において、
前記封止部材の筒状部と第１封止部の挿通孔及び第２封止部の挿通孔の少なくとも一方に凹部を設け、他方に前記凹部に嵌合する凸部を設けたことを特徴とする。
このように、封止部材の相対回動を阻止する手段として、筒状部と第１封止部の挿通孔及び第２封止部の挿通孔の少なくとも一方に凹凸部を形成するという簡単な構造的対処法を採ることによって、格別の部材を備えることなく、或いは、相対回動阻止手段を用いることなく、回動阻止を行い得る。
【００２０】
手段１２：手段１乃至手段１１の何れかに記載の遊技機において、
前記第１封止部と第２封止部が、複数個対を成して設けられ、各第２封止部に封止部材を備えるための保持部を設けたことを特徴とする。
このように、第１封止部と第２封止部を複数対設け、夫々に封止部材を備えておくことで、例えば、監督官庁等の検査機関による開封検査があった場合に、その後すぐに、未使用の第１封止部及び第２封止部並びに封止部材を用いて基板ケースを再度封止できる。また、封止部材が保持部に保持されている場合には、基板ケースの封印に使用されたことがないと一見して判断できるので、不使用の封止部材数と正規の検査回数との比較によって不正開封が成されたどうかが容易に判別できる。
【００２１】
手段１３：手段１２に記載の遊技機において、
前記保持部が、第２封止部の底部側を自由端とし、開口部側を基端とした弾性変形可能な舌片を有し、該舌片及び該舌片に対向する部位の各々に、該保持部の中心に向けて先細りの縦断面テーパー状の弾性変形可能な爪部を上下二段に配設したことを特徴とする。
前記第１封止部に上段の爪部の自由端に沿って封止部材を差し込むと、舌片がその基端側から自由端に向かうほど大きく弾性変形して舌片及び該舌片に対向する部位が拡開し、同時に弾性変形可能な爪部も弾性変形して拡開し、封止部材が上下段の爪部で構成される保持部に仮留めされる。そして、封止を行う際には、保持部に保持された封止部材をさらに押し込む。すると、舌片が再度弾性変形して広がり、まや、舌片及び該舌片に対向する部位に設けた下段の爪部が弾性変形してその相互間距離が広がり、封止部材が保持部よりも奥に押し込まれ、封止開始位置に至る。これにより、保持部に保持された封止部材を基板ケースの封印に使用することができる。
【００２２】
手段１４：手段１２に記載の遊技機において、
前記保持部が、第２封止部の底部側を自由端とし、開口部側を基端とした弾性変形可能でかつ互いに対向する一対の舌片を有し、各舌片に、該保持部の中心に向けて先細りの縦断面テーパー状の弾性変形可能な爪部を所定の間隔を隔てて上下二段に配設したことを特徴とする。
従って、保持部に保持された封止部材を押し込むと、各舌片が弾性変形して封止部材の保持位置から封止位置への下降を許容するが、その際、変形容易な爪部の変形によって其の下降を容易にすることができるので、各舌片の変形量を低減することができて、舌片の破損を抑制することができる。
また、舌片よりも変形容易な爪部を縦列２段に配設して封止部材を保持する構造であるので、封止部材を外方から保持部に挿入設置する場合にも、その上方の爪部を容易に変形させて押し込むことで簡単に上下の爪部間にセットできる。
【００２３】
手段１５：手段１乃至手段１４の何れかに記載の遊技機において、
第１封止部が透明な素材で中空状に形成され、該第１封止部にて封止部材の係止部を被覆したことを特徴とする。
前記封止部材の係止部を第１封止部で被覆することにより、係止部の安易な切断や研削を不能とし、基板ケースの不正な開封を防止したものである。
また、主ケース側封止部の近傍を破壊しないで基板ケースの不正な開封を目的とした場合、例えば、第１封止部と第２封止部との接触面間に刃物等を差し込むなどして封止部材を切断して基板ケースを開封する等の方法が採られた場合でも、塑性変形により形成された係止部が、第１封止部の挿通孔よりも大径であるため、封止部材の切断された先端部分（係止部及び螺合部）が第１封止部の中に残されて取り出すことができない。したがって、第１封止部の内部に封止部材の切断片があるか否かを透かして見ることで、前述した如き外観上の破壊を伴わない基板ケースの不正な開封を容易に見破ることができる。
【００２４】
手段１６：手段１乃至１５の何れかに記載の遊技機において、
前記封止部材が展性の高い軟性金属材料からなることを特徴とする。
前記封止部材の材料は、少なくとも螺合手段に使用される材料よりも展性に優れた材料であればよく、例えば、アルミニウム、銅、黄銅などが好ましい。
これにより、螺合手段の回転操作により封止部材を塑性変形させるに、容易に座屈変形を行うことができて、ネジとドライバー等の人力でも楽に封止作業を行うことができる。
【００２５】
手段１７：手段１乃至手段３及び手段５乃至手段１５の何れかに記載の遊技機において、
前記封止部材の螺合部の肉厚を筒状部の肉厚よりも厚くしたことを特徴とする。
これにより螺合部の強度が向上し、これに螺合する螺合手段を強力なものであっても、例えば、電動式のドライバー、ネジ立等であっても螺合部が損壊する虞がなく、圧縮変形のための推力を確実に筒状部に伝達でき、筒状部の塑性変形をもたらすことができる。そして、この肉厚の差により、前記塑性変形の推力が生じた時に、螺合部に対する筒状部の塑性変形が相対的に引き起こし易くなり、筒状部の係止部成形を容易なものとすることができる。
【００２６】
手段１８：手段１〜１７の何れかに記載の遊技機において、
前記封止部材の筒状部のうち第１封止部から突出する部分を外径側に膨らませて形成したことを特徴とする。
つまり、この封止部材は、封止部材の筒状部の一部を予め膨らませてあるので、封止部材の螺合部から軸方向の圧縮力が筒状部に伝達されると、当該筒状部の一部が簡単に塑性変形するから係止部をより一層形成しやすくなる。
【００２７】
手段１９：手段１〜１７の何れかに記載の遊技機において、
前記封止部材の筒状部のうち第１封止部から突出する部分の内周部に環状溝を形成したことを特徴とする。
つまり、この封止部材は、手段１８と同様に、封止部材に軸方向の圧縮力を付与すると、封止部材の環状溝を形成した部分が簡単に塑性変形するから係止部をより一層形成しやすくなる。
【００２８】
手段２０：遊技機の製造方法として、
本発明に係る遊技機の製造方法は、上記目的を達成するために、
第１ケースと第２ケースを封止部において連結封止するように構成した二つ割り方式の基板ケースを備えた遊技機の製造方法であって、
第１封止部と第２封止部に夫々挿通孔が設けられ、
封止部材を、塑性変形可能な素材により筒状部を有すると共に前記第２ケース側に接当するフランジをその一端に備え、他端に螺合部を備えるように形成し、
前記封止部材を、前記第２封止部の挿通孔から第１封止部の挿通孔に挿通し、
前記ネジを封止部材の筒状部内に進行させると共に回動手段を用いて、その螺合部に螺合させ、
更に、前記ネジの頭部を、前記封止部材のフランジ面に接当させて、該封止部材に対して該ネジの軸線方向の相対位置を固定した状態において、更に回転手段を回動させることによって前記螺合部に、前記フランジ方向に向けた軸力を生じせしめ、以って、前記第１封止部から突出した筒状部の一部を塑性変形させ、これによって形成された係止部と前記フランジとによって前記第１封止部と第２封止部とを連結固定するようにしたことを特徴とする。
ここに言うネジは、ボルトと均等物であり、螺合対象物（ネジの有無に関係なく）に対して螺進できるネジ部を備えているものを意味する。
また、ここに言う回動手段は、通常の手操作するドライバー、電動式、ネジ切り用、穿孔ドリル等の電動工具を含むものである。
【００２９】
この製造方法によれば、螺合手段（ネジやボルトと、手動ドライバー或いはネジを備えた電動ドライバー等）による回転操作という極めて簡単な作業で、封止部材の一部の塑性変形によるカシメによって基板ケースを封印することができ、しかも封止ための構造の単純化を図ることができるので、遊技機の製造コストを抑制することが可能となる。
また、この方法の場合、前記ネジは封止部材の内部に残っているので、第１封止部と第２封止部を破壊しようとしての不正開封においては、この残留ネジが剛性を高めて抵抗部材となり、容易な破壊を阻止することができる。
【００３０】
手段２１：手段２０の遊技機の製造方法において、
前記ネジの回動操作による筒状部の一部の塑性変形が行われて係止部が形成された後に前記ネジを逆回転させて、前記封止部材から取り外すことを特徴とする。
このように、ネジを除去することにより、外観上（特に透明ケースでない場合）、複数対存在する第１封止部と第２封止部の何れの対が現在有効に封止機能を果たしているのか判別し難く、不正開封に際して破壊対象を絞り難くできる結果、全体破壊という外観上目立つ破壊を誘導することになって、不正開封を発見し易くすることができる。
【発明の効果】
【００３１】
本発明によれば、上述の如く、第１ケースの第１封止部と第２ケースの第２封止部とを封止連結する封止部材が単一部品で、且つ、簡単な構造のものでありながら、その一部の塑性変形を利用するだけであるので、封止部材の成形が容易となる結果、製造コストを抑制することができる利点があると共にその封止作業も簡単に行い得る利点がある。
また、封止連結が、封止部材の一部の塑性変形によるカシメで行われるものであるから、前記第１封止部と第２封止部の構造も簡単で済むので（連結要部は少なくとも一枚板同士が重ねられれば足りる）、第１ケース及び第２ケースの成形が容易で製造コストを抑制することができる。
【発明を実施するための最良の形態】
【００３２】
以下、図面を参照しつつ本発明に係る遊技機の実施形態について説明する。なお、以下の実施形態では、便宜上、パチンコ機を挙げて説明するが、本発明は、パチンコ機以外の弾球遊技機（例えばアレンジボール機や雀球遊技機など）、スロットマシン、パチンコ機とスロットマシンとを融合させた融合機（例えば遊技媒体として遊技球を使用するスロットマシン）、その他種々の遊技機（例えばゲームセンタに設置されるいわゆるアーケードゲーム機など）に適用することができる。
【００３３】
（パチンコ機の正面構成）
図１は本実施形態のパチンコ機１０の正面図であり、図２は外枠１１に対して内枠１２と前面枠セット１４とを開放した状態を示す斜視図である。但し、図２では便宜上、下皿ユニット１３が内枠１２から取り外された状態を示している。
【００３４】
図１，２に示すように、パチンコ機１０は、当該パチンコ機１０の外殻を形成する外枠１１と、この外枠１１の一側部に開閉可能に支持された内枠１２とを備えている。外枠１１は、木製の板材により全体として矩形状に構成され、小ネジ等の離脱可能な締結具により各板材が組み付けられている。なお、外枠１１は、軽量化を図るために、樹脂やアルミニウム等の軽金属により構成されていてもよい。内枠１２の開閉軸線はパチンコ機１０の正面からみて遊技球発射ハンドル１８の設置箇所の反対側（図１のパチンコ機１０の左側）で上下に延びるように設定されており、この開閉軸線を軸心にして内枠１２が前方側に十分に開放できるようになっている。また、内枠１２は合成樹脂、具体的にはＡＢＳ(アクリロニトリル−ブタジエン−スチレン）樹脂から成る。こうすることで、粘性が高く衝撃に強くでき、低コストで製造できるという利点が発揮される。
【００３５】
内枠１２の構成を、図３も用いて詳細に説明する。図３は、パチンコ機１０から前面枠セット１４を取り外した状態を示す正面図である（但し、図３では便宜上、遊技盤３０面上の遊技領城内の構成〔釘、センター役物等〕を空白で示している）。
【００３６】
内枠１２は、大別すると、その最下部に取り付けられた下皿ユニット１３と、この下皿ユニット１３よりも上側の範囲で内枠１２の左側の上下方向の開閉軸線を軸心にして開閉自在に取り付けられた前面枠セット１４と、後述する樹脂ベース２０と、この樹脂ベース２０の後側に取り付けられる遊技盤３０とを備えている。
【００３７】
下皿ユニット１３は、内枠１２に対してネジ等の締結具により固定されている。この下皿ユニット１３の前面側には、下皿１５と球抜きレバー１７と遊技球発射ハンドル１８と灰皿２２と音出力口２４が設けられている。球受皿としての下皿１５は、下皿ユニット１３のほぼ中央部に設けられており、後述の上皿１９が満タンになった場合等に排出口１６より排出される遊技球を停留する役割がある。球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。遊技球発射ハンドル１８は、下皿１５よりも右方で手前側に突出するように配設されている。遊技者による遊技球発射ハンドル１８の操作に応じて、遊技球発射装置３８（図６参照）によって遊技球が遊技盤３０の方へ打ち込まれるようになっている。遊技球発射装置３８は、遊技球発射ハンドル１８と後述するセットハンドル２２８と発射モータ２２９（図６参照）などで構成されている。音出力口２４は、下皿ユニット１３内あるいは背面に設けられたスピーカ（図示略）からの音を出力するための出力口である。また、灰皿２２は下皿１５の左方に設けられている。灰皿２２は左右方向（水平方向）の軸線を軸心にして回動（例えば前方側に向けて前回り）するように、その右側が下皿１５に片待ち支持されている。
【００３８】
なお、下皿ユニット１３はその大部分が内枠１２と同様、ＡＢＳ樹脂にて成形されている。こうすることで、粘性が高く衝撃に強くでき、低コストで製造できる。特に、下皿１５を形成する表面層と下皿１５の奥方の前面パネル部分とを難燃性のＡＢＳ樹脂にて成形している。このため、この部分は燃えにくくなっている。
【００３９】
また、前面枠セット１４は、図２に示すように、内枠１２に対して開閉可能に取り付けられており、内枠１２と同様、パチンコ機１０の正面からみて左側に上下に延びる開閉軸線を軸心にして前方側に開放できるようになっている。しかも前面枠セット１４は内枠１２の外側壁（リブ）１２ｂ（図３参照）内に嵌まり込むようにして取り付けられている。つまり、この前面枠セット１４の側面の少なくとも一部が内枠１２の外側壁（リブ）１２ｂ内に嵌まり込むようにして取り付けられているので、内枠１２と前面枠セット１４との隙間から異物（針状あるいは薄板状等のものであって、具体的には針金、ピアノ線、セルロイド板等）を差し入れるなどの不正行為を防止できるようになっている。また、前面枠セット１４は、内枠１２と同様に、合成樹脂、具体的にはＡＢＳ樹脂により構成されているので、粘性が高く衝撃に強くでき、低コストで製造できる。
【００４０】
一方、前面枠セット１４の下部（上述の下皿１５の上方位置）には、遊技球の受皿としての上皿１９（図１参照）が前面枠セット１４と一体的に設けられている。この上皿１９は、遊技球を一旦貯留し、一列に整列させながら遊技球発射装置３８の方へ導出するための球受皿である。この上皿１９も下皿１５と同様、表面層が難燃性のＡＢＳ樹脂にて成形される構成となっている。
【００４１】
図３に示すように、内枠１２は、外形が矩形状の樹脂ベース２０を主体に構成されており、樹脂ベース２０の中央部には略円形状の窓孔２１が形成されている。樹脂ベース２０の後側には遊技盤３０が着脱可能に装着されている。遊技盤３０は四角形状の合板よりなり、その周縁部が樹脂ベース２０（内枠１２）の裏側に当接した状態で取着されている。従って、遊技盤３０の前面部の略中央部分が樹脂ベース２０の窓孔２１を通じて内枠１２の前面側に露出した状態となっている。
【００４２】
次に、図４を用いて遊技盤３０の構成を説明する。図４は遊技盤３０の構成を示す正面図である。遊技盤３０は、天入賞口６１０、一般入賞口６００、左右１対の第１始動口６０１、これら第１始動口６０１の変形部であって第１始動口６０１より若干下方に設けられた第２始動口６０２、遊技領域の略中央に設けられた電動役物ユニット（センター役物）６０３等を備えている。これらの一般入賞口６００、第１始動口６０１、第２始動口６０２、電動役物ユニット６０３等は、遊技盤３０における、ルータ加工によって形成された各貫通穴にそれぞれに配設され、遊技盤３０前面側から木ネジ等により取り付けられている。前述の天入賞口６１０、一般入賞口６００、第１の始動口６０１、第２の始動口６０２に対応する部位には、それぞれ、天入賞口入球センサ６０９、一般入賞口入球センサ６０７、第１始動口入球センサ６０５、第２始動口入球センサ６０６が設けられており、これらセンサは、図示しない電気配線を通じて後述する主制御基板（主制御装置）に接続されている。そして、天入賞口６１０、一般入賞口６００、第１始動口６０１、第２始動口６０２および電動役物ユニット６０３に遊技球が入球した場合には、上記各検出センサで検出され、この検出センサの出力に基づいて、上皿１９（または下皿１５）へ所定数の賞品球が払い出される。
【００４３】
尚、上記入賞感知機構にて各々検出された検出結果は、後述する主制御基板に取り込まれ、該主制御基板よりその都度の入賞状況に応じた払出指令（遊技球の払出個数）が払出制御基板に送信される。そして、該払出制御基板の出力により所定数の遊技球の払出が実施される。かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００４４】
その他に、遊技盤３０の左右端には、上記一般入賞口６００を備えた装飾部材６３０が設けられる一方、遊技盤３０の下方には、上記第１始動口６０１、第２始動口６０２を備えた補助ユニット６０８が設けられている。また、遊技盤３０にはアウト口３６が設けられており、各種入賞装置等に入球しなかった遊技球はこのアウト口３６を通って図示しない球排出路の方へと案内されるようになっている。さらに、遊技盤３０には、遊技球の落下方向を適宜分散、調整等するために多数の釘が植設されているとともに、同様の機能を有する風車が配設されている。
【００４５】
また、遊技盤３０には、遊技球発射装置３８から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品（例えば、フッ素樹脂が添加されて成形されたもの）にて構成されており、内外二重に一体形成された内レール５１と外レール５２とを有する。なお、レールユニット５０はフッ素樹脂を添加して成形されているので、図３に示す奥面５０ａについての遊技球の摩擦抵抗を少なくできる。内レール５１は上方の約１／４ほどを除いて略円環状に形成され、一部（主に左側部）か内レール５１に向かい合うようにして外レール５２が形成されている。かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００４６】
内レール５１の先端部分（図４の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。また、外レール５２には、遊技球の最大飛翔部分に対応する位置（図４の右上部：外レール５２の先端部に相当する部位）に返しゴム５４が取着されている。従って、所定以上の勢いで発射された遊技球は、返しゴム５４に当たって跳ね返さわるようになっている。外レール５２の内側面には、遊技球の飛翔をより滑らかなものとするべく、つまり遊技球の摩擦抵抗を少なくするべく、長尺状をなすステンレス製の金属帯としての摺動プレート５５（図３参照）が取着されている。
【００４７】
また、レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。本実施形態では、レールユニット５０の少なくとも左側を遊技盤３０に強固に締結するために、レールユニット５０の左側はその右側よりも多いネジで遊技盤３０に締結されているので、レールユニット５０の左側についての遊技盤３０への密着性を上げることかでき、遊技球の球飛びを良くすることができる。レールユニット５０の左側が遊技盤３０に対してぐらついているとこのレールユニット５０に出射された遊技球の勢いが当該ぐらつきにより吸収されてしまうからである。
【００４８】
さらに本実施形態では、正面から見てレールユニット５０の上下左右の各端部は略直線状に（平坦に）形成されている。つまり、レールユニット５０の上下左右の各端部においてはフランジ５６が切り落とされ、パチンコ機１０における有限の領域にてレール径の拡張、すなわち遊技盤３０上の遊技領域の拡張が図られるようになっている。
【００４９】
内レール５１および外レール５２間の球案内通路の入口には、同球案内通路の一部を閉鎖するようにして凸部５７が形成されている。この凸部５７は、内レール５１からレールユニット５０下端部にかけて略鉛直方向に設けられ、遊技領域まで至らず球案内通路内を逆流してくるファール球をファール球通路６３（図３参照）に導くための役目をなす。なお、遊技盤３０の右下隅部および左下隅部は、証紙（例えば製造番号が記載されている）等のシール（図４のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図４のＳ１，Ｓ２）を貼着することで、遊技盤３０と証紙との一義性を持たせることができる。
【００５０】
次に、遊技領域について説明する。遊技領域は、レールユニット５０の内周部（内外レール）により略円形状に区画形成されている。本実施形態では、遊技領域を、パチンコ機１０の正面から見て、内レール５１および外レール５２によって囲まれる領域のうち、内外レール５１，５２の並行部分である誘導レールの領域を除いた領域としている。従って、遊技領域と言った場合には誘導レール部分は含まないため、遊技領域の向かって左側限界位置は外レール５２によってではなく内レール５１によって特定される。同様に、遊技領域の向かって右側限界位置は内レール５１によって特定される。また、遊技領城の下側限界位置は遊技盤３０の下端位置によって特定される。また、遊技領域の上側限界位置は外レール５２によって特定される。
【００５１】
図３の説明に戻り、前記樹脂ベース２０において、窓孔２１（遊技盤３０）の下方には、遊技球発射装置３８より発射された直後に遊技球を案内するための発射レール６１が取り付けられている。発射レール６１は、その後方の金属板６２を介して樹脂ベース２０に取付固定されており、所定の発射角度（打ち出し角度）にて直線的に延びるよう構成されている。従って、遊技球発射ハンドル１８の回動操作に伴い発射された遊技球は、まずは発射レール６１に沿って斜め上方に打ち出され、その後前述した通りレールユニット５０の球案内通路を通じて所定の遊技領域に案内されるようになっている。
【００５２】
また、発射レール６１とレールユニット５０（誘導レール）との間には所定間隔の隙間があり、この隙間より下方にファール球通路６３が形成されている。従って、仮に、遊技球発射装置３８から発射された遊技球が戻り球防止部材５３まで至らずファール球として誘導レール内を逆戻りする場合には、そのファール球がファール球通路６３を介して下皿１５に排出される。
【００５３】
ファール球が誘導レール内を逆流してくる際、その多くは外レール５２に沿って流れ、外レール５２の下端部に到達した時点で下方に落下するが、一部のファール球は誘導レール内で暴れ、内レール５１側へ跳ね上がるものもある。この際、跳ね上がったファール球は、球案内通路入口の前記凸部５７に当たり、ファール球通路６３に誘導される、これにより、ファール球の全てがファール球通路６３に確実に案内されるようになり、ファール球と次に発射される遊技球との干渉が抑制される。
【００５４】
なお、詳しい図面の開示は省略するが、遊技球発射装置３８には、前面枠セット１４側の球出口（上皿１９の最下流部より通じる球出口）から遊技球が１つずつ供給される。また、遊技球発射装置３８には打球槌が設けられ、軸部を中心とする打球槌の回動に伴い遊技球が発射される。
【００５５】
図３中の符号６７は上皿１９に通ずる排出口であり、この排出口６７を介して遊技球が上皿１９に排出される。排出口６７には、略水平方向の回転軸を軸心として略水平状態と略垂直状態とに変位する開閉式のシャッタ６８が取り付けられている、前面枠セット１４を内枠１２から開放した状能（図３の状態）では、バネ等の付勢力によりシャッタ６８が略水平状態から略垂直状態となり、排出口６７から遊技球がこぼれ落ちないようにこの排出口６７を閉鎖する。また、前面枠セット１４を閉鎖した状態では、当該前面枠セット１４の裏面に設けられた球通路樋６９（図２参照）によりシャッタ６８が押し開けられて略水平状態になり、排出口６７の方へ排出された遊技球はもれなく球通路樋６９を通って上皿１９に排出されるようになる。従って、本パチンコ機１０においては、前面枠セット１４の開放に際し払出通路内等の遊技球がパチンコ機１０外にこぼれ落ちてしまうといった不都合が防止できるようになっている。
【００５６】
図３に示すように、樹脂ベース２０には、窓孔２１の右下部に略四角形状の小窓７１が設けられている。従って、遊技盤３０の右下隅部に張られた証紙などのシール（図４のＳ１）は、この小窓７１を通じて視認できるようになっている。また、この小窓７１からシール等を貼り付けることも可能となっている。
【００５７】
また、図３に示すように、内枠１２の左端部には、前面枠セット１４の支持機構として、支持金具８１，８２が取り付けられている。上側の支持金具８１には図の手前側に切欠を有する支持孔８３が設けられ、下側の支持金具８２には鉛直方向に突出した突起軸８４が設けられている。
【００５８】
図３に示すように、内枠１２の上側には、前面枠セット１４が内枠１２に対して開かれたことを検出する前面枠セット開検出スイッチ９０が設けられている。前面枠セット１４が開かれると、前面枠セット開検出スイッチ９０からホール内（パテンコ店内）用コンピュータヘ出力されるようになっている。また、前面枠セット１４が閉じられると、図５に示す前面枠セット１４の金属製の補強板１３１，１３２が図３に示す内枠１２の一対の金具９２に接触するようになっており、前面枠セット１４のアースが確保されている。
【００５９】
ここで、前述した前面枠セット１４について、図1，図５を参照しつつより詳細に説明する。図５は、前面枠セット１４の背面図である。前面枠セット１４には前記遊技領域のほとんどを外部から視認することができるよう略楕円形状の窓部１０１が形成されている。詳しくは、窓部１０１は、その左右側の略中央部が、上下側に比べて比較的緩やかに湾曲した形状となっている。なお、前記略中央部が直線状になるようにしてもよい。
【００６０】
また、パチンコ機１０の正面から見て窓部１０１の左端と前面枠セット１４の左端との間の最短距離（いわゆる左側部フレーム部分の左右幅：図５では右側に示されている）、すなわち開閉軸線側のフレーム幅は、前面枠セット１４自体の強度および支持強度を高めるために比較的大きく設定されている。この場合、図１および図３を相互に比較すると明らかなように、前面枠セット１４が閉じられた状態において、外レール５２の左端部はもちろん、内レール５１の左端部も前記左側部フレーム部分によって覆い隠される。つまり、誘導レールの少なくとも一部が、パチンコ機１０の正面からみて前面枠セット１４の左側部フレーム部分と重複し覆い隠される。このように遊技球が一時的に視認困難となったとしても、それは、遊技球が遊技領域に案内される通過点に過ぎず、遊技者が主として遊技を楽しむ遊技領城において遊技球が視認困難となるわけではない。そのため、実際の遊技に際しては何ら支障が生じない。また、このような支障が生じない一方で、前面枠セット１４の十分な強度および支持強度が確保可能となっている。
【００６１】
加えて、前面枠セット１４にはその周囲（例えばコーナー部分）に各種ランプ等の発光手段が設けられている。これら発光手段は、大当たり遊技状態時や羽根開放時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり遊技状態時に点灯や点滅を行うことにより、大当たり遊技状態中であることを報知する。さらに、上皿１９周りにも、同じくＬＥＤ等の発光手段を内蔵した上皿電飾部１０４が設けられている。その他、中央電飾部１０３の左右側方には、賞球払出し中に点灯する賞球ランプ１０５と所定のエラー時に点灯するエラー表示ランプ１０６とが設けられている。また、環状電飾部１０２の下端部に隣接するようにして、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００６２】
また、窓部１０１の下方には貸球操作部１２０が配設されており、貸球操作部１２０には球貸しボタン１２１と、返却ボタン１２２と、度数表示部１２３とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。度数表示部１２３はカード等の残額情報を表示するものである。なお、カードユニットを介さずに球貸し装置部から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００６３】
また、図１に示すように、前面枠セット１４の左側の小窓１０７付近を前面側（図１の紙面手前側）に必要以上に突出しないようにしている。こうすることで、パチンコ機１０の左側に設けられたカードサンドの球貸し装置から直接に上皿１９に遊技球を貸し出す際に、当該球貸し装置のノーズ部（いわゆる象の鼻）の先端排出口を好適に上皿１９の上方位置に位置させることができ、当該球貸し装置のノーズ部から貸し出される遊技球を上皿１９で受けることかできる。
【００６４】
前面枠セット１４の裏側には、窓部１０１を囲むようにして金属製の各種補強部材が設けられている。詳しくは、図５に示すように、前面枠セット１４の裏側にあって窓部１０１の上下左右の外側にはそれぞれ補強板１３１，１３２，１３３，１３４が取り付けられている。これら補強板１３１〜１３４は相互に接触して連結されているが、図の左側および上側の補強板１３２，１３３の連結部には直接の接触を避けるための樹脂パーツ１３５が介在されている。このように補強板１３２，１３３の連結部に樹脂パーツ１３５を介在させているので、ノイズが補強板１３１〜１３４でループすることを防止できる。また、図５の右側の補強板１３１にはその中間位置にフック状をなす係合爪１３１ａが設けられており、この係合爪１３１aは、前面枠セット１４を閉じた状態で内枠１２の孔部１２ａ（図３参照）に係合されるように構成されている。この構成により、上皿１９を含む形態で前面枠セット１４が構成され、その上下の軸支位置が延長されたとしても、中間位置における前面枠セット１４の浮き上がりが防止できる。それ故、前面枠セット１４を浮かしての不正行為等が抑制されるようになっている。
【００６５】
また、下側の補強板１３４には、前記発射レール６１（図３参照）に対向する位置に樹脂製のレール側壁部材１３６が設けられている。このレール側壁部材１３６は、前面枠セット１４を閉じた際に発射レール６１の側壁となる。故に、発射レール６１から遊技球がこぼれ落ちないようになっている。
【００６６】
上述した補強板１３１〜１３４はガラス支持用の金枠としての機能も兼ね備えており、これら補強板１３１〜１３４の一部が後方に折り返されてガラス保持溝が形成されている。このガラス保持溝は前後に２列形成されており、矩形状をなす前後一対のガラス１３７が各ガラス保持溝にて保持される。これにより、２枚のガラス１３７が前後に所定間隔を隔てて取着されるようになっている。
【００６７】
また、前面枠セット１４の図５の右端部（パチンコ機１０正面から見ると左端部）には、内枠１２の支持機構として、支持金具１５１，１５２が取り付けられている。従って、内枠１２側の支持金具８１，８２（図３参照）に対して前面枠セット１４側の支持金具１５１，１５２を組み付けることで、内枠１２に対して前面枠セット１４が開閉可能に装着されるようになる。
【００６８】
（パチンコ機の背面構成）
次に、パチンコ機１０の背面の構成を詳しく説明する。図６はパチンコ機１０の背面図であり、図７はパチンコ機１０の背面構成を主要部品毎に分解して示す分解斜視図である。先ず、パチンコ機１０の背面構成について全体の概要を説明する。パチンコ機１０にはその背面（実際には内枠１２および遊技盤３０の背面）において、各種制御基板が上下左右に並べられるようにしてまたは前後に重ねられるようにして配置されており、さらに、遊技球を供給するための遊技球供給装置（払出機構）や樹脂製の保護カバー等が取り付けられている。本実施形態では、各種制御基板を２つの取付台に分けて搭載して２つの制御基板ユニットを構成し、それら制御基板ユニットを個別に内枠１２または遊技盤３０の裏面に装着するようにしている。この場合、主制御基板と音声ランプ制御基板とを一方の取付台に搭載してユニット化すると共に、払出制御基板、発射制御基板および電源基板を他方の取付台に搭載してユニット化している。ここでは便宜上、前者のユニットを「第１制御基板ユニット２０１」と称し、後者のユニットを「第２制御基板ユニット２０２」と称することとする。
【００６９】
また、払出機構および保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００７０】
第１制御基板ユニット２０１、第２制御基板ユニット２０２および裏パックユニット２０３は、ユニット単位で何ら工具等を用いずに着脱できるよう構成されており、さらにこれに加え、一部に支軸部を設けて内枠１２または遊技盤３０の裏面に対して開閉できる構成となっている。これは、各ユニット２０１〜２０３やその他構成が前後に重ねて配置されても、隠れた構成等を容易に確認することを可能とするための工夫でもある。
【００７１】
一方、図８は、内枠１２に遊技盤３０を組み付けた状態でその構成を示す背面図であり、図９は内枠１２を後方より見た斜視図である。ここでは図８および図９を用いて内枠１２および遊技盤３０の裏面構成を説明する。
【００７２】
遊技盤３０は、樹脂ベース２０に囲まれた四角枠状の設置領域に設置され、内枠１２に設けられた複数（本実施形態では４カ所）の係止固定具２１１，２１２によって脱落しないように固定されている。係止固定具２１１，２１２は手動で回動でき、固定位置（ロック位置）と固定解除位置（アンロック位置）とを切り換えることができるよう構成されており、図８にはロック状態を示す。遊技盤３０の左右３ヵ所の係止固定具２１１は金属片を折り曲げ形成したＬ型の金具であり、遊技盤３０の固定状態で内枠外方へ張り出さないよう構成されている。なお、遊技盤３０の下部１カ所の係止固定具２１２は樹脂製のＩ型の留め具である。
【００７３】
遊技盤３０の中央には電動役物ユニット６０３が配置されている一方、電動役物ユニット６０３の下側には第１始動口６０１および第２始動口６０２を備えた補助ユニット６０８が配置されている。遊技盤３０の裏面には、電動役物ユニット６０３、補助ユニット６０８、および、装飾部材６３０を取り囲むようにして、遊技球回収機構を備えた裏枠セット（図示せず）が取り付けられている。また、遊技盤３０の下方には、内枠１２に樹脂製（例えばポリカーボネート樹脂製）の排出通路盤２１７が取り付けられており、該排出通路盤２１７には、排出球をパチンコ機１０外部へ案内するための排出通路２１８が形成されている。従って、一般入賞口６００等に入賞した遊技球は何れも前記裏枠セットの回収通路を介して集合し、さらに排出通路盤２１７の排出通路２１８を介してパチンコ機１０外部に排出される。なお、アウト口３６（図３参照）も同様に排出通路２１８に通じており、何れの入賞口にも入賞しなかった遊技球も排出通路２１８を介してパチンコ機１０外部に排出される。
【００７４】
なお、排出通路盤２１７は、パチンコ機前面の上皿１９の丁度裏側辺りに設けられており、上皿１９に至る球排出口（図２の球通路樋６９）より針金等を差し込み、さらにその針金等を内枠１２と排出通路盤２１７との隙間を通じて遊技領域側に侵入させるといった不正行為が考えられる。そこで本パチンコ機１０では、排出通路盤２１７の上皿１９の丁度裏側辺りに、内枠１２にほぼ一体的に重なり合うようにしてパチンコ機前方に延びるプレート２１９が設けられている。従って、内枠１２と排出通路盤２１７との隙間から針金等を侵入させようとしてもそれがプレート２１９にて阻害され、遊技領域にまで針金等を侵入させることが非常に困難となるので、不正行為を防止することができる。なお、図９において符号２２８は打球槌等を備えるセットハンドルであり、符号２２９は発射モータである。
【００７５】
また、内枠１２の裏面には、第２制御基板ユニット２０２や裏パックユニット２０３を取り付けるための取付機構が設けられている。具体的には、内枠１２にはその右端部に長尺状の支持金具２３５が取り付けられており、その構成を図１０に示す。図１０に示すように、支持金具２３５は長尺板状の金具本体２３６を有し、その金具本体２３６より起立させるようにして、下方２カ所に第２制御基板ユニット用の支持孔部２３７が形成されると共に、上方２ヵ所に裏パックユニット用の支持孔部２３８が形成されている。それら支持孔部２３７，２３８にはそれぞれ同軸の支持孔が形成されている。その他、第２制御基板ユニット用の取付機構として、内枠１２には、遊技盤設置領域よりも下方左端部に上下一対の被締結孔（ナイラッチ孔）２３９が設けられている。また、裏パックユニット用の取付機構として、内枠１２には、遊技盤設置領域の左端部に上下一対の被締結孔（ナイラッチ孔）２４０が設けられている。但し、第２制御基板ユニット用の支持金具と裏パックユニット用の支持金具とを各々個別の部材で設けることも可能である。符号２４１，２４２，２４３は、遊技盤３０との間に裏パックユニット２０３を挾み込んで支持するための回動式の固定具である。
【００７６】
その他、内枠１２の背面構成において、遊技盤３０の右下部には、後述する払出機構部３５２より払い出される遊技球を上皿１９、下皿１５、または排出通路２１８の何れかに振り分けるための遊技球分配部２４５が設けられている。すなわち、遊技球分配部２４５の開口部２４５ａは上皿１９に通じ、開口部２４５ｂは下皿１５に通じ、開口部２４５ｃは排出通路２１８に通じる構成となっている。図８に示すように、遊技球分配部２４５は、その上方位置に位置する後述の払出機構部３５２（図１８参照）とは別体としている。図８に示すように、遊技球分配部２４５は、内枠１２にネジで締結固定されており、パチンコ機１０の上皿１９の排出口６７（図３参照）から異物を挿入操作するなどしても動かない、つまり遊技球分配部２４５が奥側に押されて遊技球分配部２４５と内枠１２との間に隙間が空くようなことが無いし、この隙間に異物を押入するなどによる不正を防止できる。
【００７７】
また、内枠１２の下端部には、下皿１５に設置されたスピーカの背後を囲むための樹脂製のスピーカボックス２４６が取り付けられており、このスピーカボックス２４６により低音域の音質改善が図られている。
【００７８】
次に、第１制御基板ユニット２０１を、図１１〜図１４を用いて説明する。図１１は第１制御基板ユニット２０１の正面図、図１２は同ユニット２０１の斜視図、図１３は同ユニット２０１の分解斜視図、図１４は同ユニット２０１を裏面から見た分解斜視図である。
【００７９】
第１制御基板ユニット２０１は略Ｌ字状をなす取付台２５１を有し、この取付台２５１に主制御装置２６１と音声ランプ制御装置２６２とが搭載されている。ここで、主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主制御基板を具備しており、この主制御基板が透明樹脂材料等よりなる基板ケース２６３に収容された構成とされる。
【００８０】
また、音声ランプ制御装置２６２は、例えば主制御装置２６１（主制御基板）または図示しない表示制御装置からの指示に従い音声やランプ表示の制御を司るＣＰＵや、その他ＲＯＭ、ＲＡＭ、各種ポート等を含む音声ランプ制御基板を具備しており、この音声ランプ制御基板が透明樹脂材料等よりなる基板ケース２６５に収容されて構成されている。音声ランプ制御装置２６２上には電源中継基板２６６が搭載されており、後述する電源基板より供給される電源がこの電源中継基板２６６を介して前記表示制御装置および音声ランプ制御装置２６２に出力されるようになっている。
【００８１】
取付台２５１は、有色（例えば緑、青等）の樹脂材料（例えばポリカーボネート樹脂製）にて成形され、その表面に平坦状をなす２つの基板搭載面２５２，２５３が設けられている。これら基板搭載面２５２，２５３は直交する向きに延び、前後方向に段差をもって形成されている。但し、取付台２５１は無色透明または半透明の樹脂成型品であっても良い。
【００８２】
そして、一方の基板搭載面２５２上に主制御装置２６１（主制御基板）が横長の向きに配置されると共に、他方の基板搭載面２５３上に音声ランプ制御装置２６２（音声ランプ制御基板）が縦長の向きに配置されるようになっている。特に、主制御装置２６１は、パチンコ機１０裏面から見て手前側に配置され、音声ランプ制御装置２６２はその奥側に配置される。この場合、基板搭載面２５２，２５３が前後方向に段差をもって形成されているため、これら基板搭載面２５２，２５３に主制御装置２６１および音声ランプ制御装置２６２を搭載した状態において各制御装置２６１，２６２はその一部を前後に重ねて配置されるようになる。つまり、図１２等にも見られるように、主制御装置２６１はその一部（本実施の形態では１／３程度）が浮いた状態で配置されるようになる。故に、主制御装置２６１に重なる領域まで音声ランプ制御装置２６２を拡張することが可能となり、当該制御基板の大型化にも良好に対処できる。また、各制御装置が効率良く設置できるようになる。また、第１制御基板ユニット２０１を遊技盤３０に装着した状態では、基板搭載面２５２の後方にスペースが確保され、電動役物ユニット６０３やその電気配線等が無理なく設置できるようになっている。
【００８３】
図１３および図１４に示すように、主制御基板用の基板搭載面２５２には、左右２ヵ所に横長形状の貫通孔２５４が形成されている。これに対応して、主制御装置２６１の基板ケース２６３には、その裏面の左右２ヵ所に回動式の固定具２６７が設けられている。主制御装置２６１を基板搭載面２５２に搭載する際には、基板搭載面２５２の貫通孔２５４に固定具２６７が通され、その状態で固定具２６７が回動されて主制御装置２６１がロックされる。従って、上述の通り主制御装置２６１はその一部が浮いた状態で配置されるとしても、当該主制御装置２６１の脱落等の不都合が回避できる。また、主制御装置２６１は、裏パックユニット２０３の軸線を軸心として開き、第１制御基板ユニット２０１を軸線を軸心として開いた後に、この第１制御基板ユニット２０１（基板搭載面２５２）の裏面側から固定具２６７をロック解除しなければ、取り外しできないため、基板取り外し等の不正行為に対して抑止効果が期待できる。主制御基板用の基板搭載面２５２にはその裏面に格子状のリブ２５５が設けられている。
【００８４】
取付台２５１には、図１２等の左端面に上下一対の支軸２５６が設けられており、この支軸２５６を図８等に示す支持金具２３１に取り付けることで、第１制御基板ユニット２０１が遊技盤３０に対して開閉可能に支持される。また、取付台２５１には、右端部に締結具として上下一対のナイラッチ２５７が設けられると共に上端部に長孔２５８が設けられており、ナイラッチ２５７を図８等に示す被締結孔２３２にはめ込むこと等により、第１制御基板ユニット２０１が遊技盤３０に固定されるようになる。
【００８５】
次に、第２制御基板ユニット２０２を、図１５〜図１７を用いて説明する。図１５は第２制御基板ユニット２０２の正面図、図１６は同ユニット２０２の斜視図、図１７は同ユニット２０２の分解斜視図である。但し、図１６では便宜上、カードユニット接続基板３１４が取付台３０１から取り外された状態を示している。
【００８６】
第２制御基板ユニット２０２は横長形状をなす取付台３０１を有し、この取付台３０１に払出制御装置３１１、発射制御装置３１２、電源制御装置３１３およびカードユニット接続基板３１４が搭載されている。払出制御装置３１１、発射制御装置３１２および電源制御装置３１３は周知の通り制御の中枢をなすＣＰＵや、その他ＲＯＭ、ＲＡＭ、各種ポート等を含む制御基板を具備しており、払出制御装置３１１により、賞品球や貸出球の払出が制御される。また、発射制御装置３１２により、遊技者による遊技球発射ハンドル１８の操作に従い発射モータ２２９の制御が行われ、電源制御装置３１３により、各種制御装置等で要する所定の電源電圧が生成され出力される。カードユニット接続基板３１４は、パチンコ機前面の貸球操作部１２０（図１参照）および図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００８７】
上記払出制御装置３１１、発射制御装置３１２、電源制御装置３１３およびカードユニット接続基板３１４は、透明樹脂材料等よりなる基板ケース３１５，３１６，３１７，３１８にそれぞれ収容された構成とされる。
【００８８】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られるようになっている。
【００８９】
また、電源制御装置３１３にはＲＡＭ消去スイッチ３２３が設けられている。
【００９０】
取付台３０１は例えば無色透明な樹脂成型品よりなり、その表面に平坦状をなす基板搭載面３０２が設けられている。この場合、発射制御装置３１２、電源制御装置３１３およびカードユニット接続基板３１４は取付台３０１の基板搭載面３０２に横並びの状態で直接搭載され、電源制御装置３１３の基板ケース３１７上に払出制御装置３１１が搭載されている。
【００９１】
また、取付台３０１には、図１５等の右端部に上下一対の支軸３０５が設けられており、この支軸３０５を図９等に示す支持孔部２３７に上方から挿通させることで、第２制御基板ユニット２０２が内枠１２に対して開閉可能に支持される。また、取付台３０１には、左端部に締結具として上下一対のナイラッチ３０６が設けられており、ナイラッチ３０６を図９等に示す被締結孔２３９にはめ込むことで、第２制御基板ユニット２０２が内枠１２に開閉不能に固定されるようになる。
【００９２】
次に、裏パックユニット２０３の構成を説明する。裏パックユニット２０３は、樹脂成形された裏パック３５１と遊技球の払出機構部３５２とを一体化したものであり、裏パックユニット２０３の正面図を図１８に示し、分解斜視図を図１９に示す。
【００９３】
裏パック３５１は例えばＡＢＳ樹脂により一体成型されており、略平坦状のベース部３５３と、パチンコ機後方に突出し横長の略直方体形状をなす保護カバー部３５４とを有する。保護カバー部３５４は左右側面および上面が閉鎖されかつ下面のみが開放された形状をなし、少なくとも電動役物ユニット（センター役物）６０３を囲むのに十分な大きさを有する（但し、本実施形態では、前述の音声ランプ制御装置２６２も合わせて囲む構成となっている）。保護カバー部３５４の背面には多数の通気孔３５４ａが設けられている。この通気孔３５４ａは各々が長孔状をなし、それぞれの通気孔３５４ａが比較的近い位置で隣り合うよう設けられている。従って、隣り合う通気孔３５４ａ間にある樹脂部分を切断することにより、裏パック３５１の背面を容易に開口させることができる。つまり、通気孔３５４ａ間の樹脂部分を切断してその内部の前記表示制御装置等を露出させることで、所定の検定等を容易に実施することができる。
【００９４】
また、ベース部３５３には、保護カバー部３５４を迂回するようにして払出機構部３５２が配設されている。すなわち、裏パック３５１の最上部には上方に開口したタンク３５５が設けられており、このタンク３５５には遊技ホールの島設備から供給される遊技球が逐次補給される。タンク３５５の下方には、例えば横方向２列（２条）の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ等の所定の電気的構成により必要個数の遊技球の払出が適宜行われる。そして、払出装置３５８より払い出された遊技球は図１９に示す払出通路３５９等を通じて上皿１９に供給される。
【００９５】
タンクレール３５６と、当該タンクレール３５６に振動を付加するためのバイブレータ３６０とが一体化となるようにユニット化されている。つまり、バイブレータ３６０が例えば２本のネジでタンクレール３５６に締結されて取り付けられるようになっている。さらに、バイブレータ３６０は、タンクレール３５６に面接触するのではなく、当該２本のネジの部分で接触するようになっており、バイブレータ３６０による振動がより効果的にタンクレール３５６に伝わるようになっている。従って、仮にタンクレール３５６付近で球詰まりが生じた際、バイブレータ３６０が駆動されることで球詰まりが解消されるようになっている。
【００９６】
払出機構部３５２には、払出制御装置３１１から払出装置３５８への払出指令の信号を中継する払出中継基板３８１が設置されると共に、外部より主電源を取り込むための電源スイッチ基板３８２が設置されている。電源スイッチ基板３８２には、電圧変換器を介して例えば交流２４Ｖの主電源が供給され、電源スイッチ３８２ａの切替操作により電源ＯＮまたは電源ＯＦＦとされるようになっている。
【００９７】
タンク３５５から払出通路３５９に至るまでの払出機構部３５２は何れも導電性を有する樹脂材料（例えば導電性ポリカーボネート樹脂）にて成形され、その一部にてアースされている。これにより、遊技球の帯電によるノイズの発生が抑制されるようになっている。
【００９８】
また、裏パック３５１には、図１８等の右端部に上下一対の支軸３８５が設けられており、この支軸３８５を図８等に示す支持孔部２３８に上方から挿通させることで、裏パックユニット２０３が内枠１２に対して開閉可能に支持される。また、裏パック３５１には、左端部に締結具として上下一対のナイラッチ３８６が設けられると共に、上端部に係止孔３８７が設けられており、ナイラッチ３８６を図８等に示す被締結孔２４０にはめ込むと共に、係止孔３８７に図８等に示す固定具２４２を係止させることで、裏パックユニット２０３が内枠１２に開閉不能に固定されるようになる。このとき、図８等に示す固定具２４１，２４３によっても裏パックユニット２０３が内枠１２に固定される。
【００９９】
なお、図６，図１８に示すように、内枠１２の右上側には、内枠１２が外枠１１に対して開かれたことを検出する内枠開検出スイッチ３８８が設けられている。内枠１２が開かれると、内枠開検出スイッチ３８８からホール内（パチンコ店内）用コンピュータヘ出力されるようになっている。
【０１００】
なお、図８に示すように、裏パックユニット２０３は、被締結孔２４０およびナイラッチ３８６と、固定具２４１とによって、内枠１２の裏面に着脱自在に取り付けられている。このように固定具２４１も用いているので、タンク３５５に供給される遊技球の重みで裏パックユニット２０３が内枠１２から外れてしまうことを防止している。
【０１０１】
以上、パチンコ機の正面側及び背面側の構成につき説明したが、次に、本発明に関する最も重要な部分、即ち基板ケース２６３について詳述する。なお、本発明は主制御装置２６１の基板ケース２６３のみならず、副制御装置（例えば前記表示制御装置、音声ランプ制御装置２６２、払出制御装置３１１、発射制御装置３１２、電源制御装置３１３など）の基板ケース３１５〜３１８（例えば図１５〜１７に示す封止機構３１９）にも適用できるが、説明が重複するので、便宜上、以下の実施形態では主制御装置２６１の基板ケース２６３（図１１乃至図１３に示す封止機構２６４）に適用した場合についてのみ説明する。
【０１０２】
図２０は基板ケース２６３の概略分解斜視図である。基板ケース２６３は、図２０に示すように、複数（例えば第１から第５）の主ケース側封止部５０１，５０１，…を有する主ケース部分５００と、複数（例えば第１から第５）の副ケース側封止部４０１，４０１，…を有する副ケース部分４００と、主ケース部分５００及び副ケース部分４００とを組み付けて主制御基板１１を収容可能な収容空間を形成し、かつ、前記収容空間を形成した状態で所定の主ケース側封止部５０１と該所定の主ケース側封止部５０１に整合する副ケース側封止部４０１とを不可逆的に連結封止する封止部材７００とからなる。
【０１０３】
主ケース部分５００と副ケース部分４００は、ともに箱状に形成され、互いにスライド嵌合により組み付ける構成とされる。この実施形態では、主ケース部分５００の開口両縁部に凹溝部５０２，５０２を形成し、副ケース部分４００の開口両縁部に突条４０２，４０２を形成し、突条４０２，４０２と凹溝部５０２，５０２とをスライド嵌合できるように構成してある。
【０１０４】
主ケース部分５００の嵌合始端側には複数の主ケース側封止部５０１，５０１，…が設けられ、副ケース部分４００の嵌合終端側には各主ケース側封止部４０１と対応するように複数の副ケース側封止部４０１，４０１，…が設けられている。
【０１０５】
図２１（Ａ）〜（C）に示すように、各主ケース側封止部５０１は、主ケース部分５００の底面側に相当する側を開口させた略有底角筒状とされ、主ケース部分５００の開口側に相当する底部に封止部材７００を挿し通すための挿通孔５０３を形成した構成とされる。挿通孔５０３の両側には切り欠きを設けて軽量化及び材料費の抑制を図っている。また、各副ケース側封止部４０１は、対向する一対の側壁に切り欠きを設けて一対の舌片４０４，４０４を形成してある。各舌片４０４の内面側には、封止部材７００を仮留めするための保持部４０５を設けてある。保持部４０５は、各舌片４０４の内面側に縦列に配設した、保持部４０５の中心に向かって先細りの断面テーパー状の爪部４０５ａ，４０５ａから成る。また、本実施形態では、各副ケース側封止部４０１を互いに第１のリブ４０６にて連結すると共に、第２のリブ４０７により副ケース部分４００の外壁と一体的に形成してある。各リブ４０６，４０７は、所望の外力を付与することで割れやすくなっている。
【０１０６】
各主ケース側封止部５０１は、中空の略直方体形状とされ、副ケース部分４００の開口側の面（主ケース側封止部５０１の底部と対向する面）に封止部材７００を挿し通すための挿通孔５０３を形成した構成とされる。また、本実施形態では、各主ケース側封止部５０１を互いにリブ５０４にて連結してある。
【０１０７】
封止部材７００は、展性に優れた軟性金属材料（例えばアルミニウムや銅など）からなる管状の部材である。図２１（Ａ）〜（C）に示すように、封止部材７００は、基端側から順に、副ケース側封止部４０１に係止させるフランジ７０１と、前記各挿通孔４０３，５０３に挿し通す円筒状の筒状部７０２を有し、封止部材７００の基端側から挿入したネジ８００を螺合させる螺合部７０３を有する。フランジ７０１は、副ケース側封止部４０１の内形に対応する略矩形状とされる。つまり、副ケース側封止部４０１の内周部は、封止部材７００のフランジ７０１を相対回転不能に係合させる係合部４０８となっている。筒状部７０２は、主ケース側封止部５０１の挿通孔５０３と略同径とされる。筒状部７０２の長さは、フランジ７０１の先端側の面を副ケース側封止部４０１の底壁面に接触させた状態で、筒状部７０２の一部（先端部）が主ケース側封止部５０１の挿通孔５０３から突出する長さとされる。螺合部７０３の内外径はともに、筒状部７０２の内外径よりも小径に形成してある。また、封止部材７００の肉厚は、筒状部７０２も螺合部７０３もほぼ同じ厚さとされる。また、封止部材７００の長さは、フランジ７０１を副ケース側封止部４０１の保持部４０５に仮留めした状態で、螺合部７０３の先端部が副ケース側封止部４０１の挿通孔４０３に届かない長さとされる。封止部材７００を保持部４０５に仮留めした状態で、主ケース部分５００と副ケース部分４００の相対移動を許容するためである。
【０１０８】
次に、図２２を参照して上記基板ケース２６３を封止する工程について説明する。図２２（Ａ）〜（Ｅ）は、上記基板ケース２６３の主ケース側封止部５０１，副ケース側封止部４０１及び封止部材７００からなる封止機構２６４の断面図である。図２３（A）〜（C）は、その工程の一部を示す斜視図である。
【０１０９】
図２２（Ａ）は、封止部材７００が副ケース側封止部４０１の保持部４０５に仮留めされた状態を示している。この状態から爪部４０５ａ，４０５ａの傾斜に沿って封止部材７００を押し込むと、舌片４０４，４０４が徐々に拡開して、封止部材７００が副ケース側封止部４０１の奥に押し込まれる。副ケース側封止部４０１の内周形状を封止部材７００のフランジ７０１の輪郭形状に対応させて形成してあるので、封止部材７００は副ケース側封止部４０１の内周面に沿って案内され、筒状部７０２が副ケース側封止部４０１及び主ケース側封止部５０１の挿通孔４０３，５０３に差し込まれる。
【０１１０】
図２２（Ｂ）は、封止部材７００を副ケース側封止部４０１の奥に押し込んで挿通孔４０３，及び主ケース側封止部５０１の挿通孔５０３に挿し通した状態を示している。同図（Ｂ）の状態で、封止部材７００の基端側から軸力発生手段の一部としてのネジ８００を差し込む。ネジ８００の外径は、螺合部７０３の内径よりも若干大径とされる。このため、同図（Ｂ）のようにネジ８００を封止部材７００に差し込んだだけでは、ネジ８００の先端が螺合部７０３の内周側上端位置に形成される段部に担持されるだけの状態となる。
【０１１１】
図２２（Ｃ）は、同図（Ｂ）の状態から封止部材７００の螺合部７０３にネジ８００を、ドライバーを用いてねじ込んで螺合させた状態を示している。この実施形態では、同図（Ａ）（Ｂ）に示すように、螺合部７０３の内径面に予めねじ切り加工を施していない。つまり、同図（Ｃ）のように、螺合部７０３の内径よりも外径の大きいネジ８００をねじ込むことで螺合部７０３の内面がねじ切り加工されながらネジ８００が螺進する（図２２（Ｅ）参照）。
【０１１２】
図２２（Ｄ）は、同図（Ｃ）の状態からさらにネジ８００をねじ込んで締め付けた状態を示している。ネジ頭８０１（鍔部）がフランジ７０１に接触した状態でネジ８００を締め付けると、ネジ８００の軸線方向の移動が阻止された状態で回動されるので、螺進方向とは逆向きで、封止部材７００の筒状部７０２に軸方向の大きな圧縮力が付与され、封止部材７００の筒状部７０２が、拡径方向に塑性変形を来たして座屈し、カシメが行われる。つまり、封止部材７００の筒状部７０２は螺合部７０３よりも大径であるので、軸方向の剛性が螺合部７０３よりも小さい。このため、ネジ８００の締め付けにより螺合部７０３が基端側に引き寄せられると、筒状部７０２が圧縮されて主ケース側封止部５０１の挿通孔５０３から突出した部分が塑性変形を来たして拡径し、主ケース側封止部５０１に係止させる係止部７０４が形成される。係止部７０４が形成されたのちネジ８００は封止部材７００に取り付けたままでも取り外してもどちらでも構わないが、通常は取り外す。ネジ８００を取り付けたままにしておくと、基板ケース２６３を検査等で開封して再度他の封止部で封印を行うときに、これを抜いて用いれば、わざわざ別のネジを用意する必要がなく便利である。さらに、封止部材７００のせん断力に対する剛性が高められるという利点もある。なお、図２２（Ｅ）は、係止部７０４が形成されたのちネジ８００を封止部材７００から取り外した状態を示している。
【０１１３】
以上の図２２（Ａ）〜（E）の工程により基板ケース２６３は封印される。封止機構２６４による封印処理は、その封印後の不正な開封を防止し、また万一不正開封が行われてもそのような事態を早期にかつ容易に発見可能とするものであって、一旦開封した後でも再度開封・封印処理を行うこと自体は可能である。すなわち、複数の封止機構２６４のうち一つの封止機構２６４を使用することにより基板ケース２６３の封印処理が行われる。そして、収容した主制御基板の不具合などにより基板ケース２６３を開封する場合には、封印に供されている封止機構２６４を破壊する。
【０１１４】
詳しくは、図２４に示すように、副ケース側封止部４０１（第１又は第２封止部）のリブ４０６，４０７を切断する。そうすると、図２４のように、当該主ケース側封止部５０１（第１又は第２封止部）が封止部材７００にて副ケース側封止部４０１と連結された状態であっても、主ケース部分５００（第１ケース又は第２ケース）と副ケース部分４００（第２ケース又は第２ケース）の相対移動が可能になる。その後、再度封印処理する場合は、封印に使用されていない他の一つの封止機構２６４に対して図２２（Ａ）〜（Ｅ）に示した各工程を行う。破壊された封止機構２６４の個数により基板ケース２６３の開封を行った旨の履歴が残され、基板ケース２６３を見ることで不正な開封が行われた旨を容易に発見できる。
【０１１５】
本発明を適用したパチンコ機１０は、上述の如く、ネジ８００の回転操作という簡単な操作で基板ケース２６３を封印でき、しかも封止機構２６４の構造が極めて簡単で成形しやすく、パチンコ機１０の製造コストを抑制することができるという効果が得られる。また、基板ケース２６３の不正開封を目的として、主ケース側封止部５０１と副ケース側封止部４０１との接触面間に刃物等を差し込むなどして封止部材７００を切断したと仮定すると、封止部材７００の係止部７０４が副ケース側封止部４０１の挿通孔４０３よりも大径であるため、封止部材７００の切断された先端部が主ケース側封止部５０１の中に残されて取り出すことができない。したがって、基板ケース２６３の不正な開封を見破ることが容易である。
【０１１６】
以上、本発明の一実施形態につき説明したが、本発明は上記実施形態に限定されることなくその要旨を逸脱しない範囲内で種々の変形が可能である。例えば、上記実施形態では、基板ケース２６３が複数の封止機構２６４を有するので、各副ケース側封止部４０１（第１又は第２封止部）に保持部４０５を設けてあるが、基板ケース２６３が１つの封止機構２６４しか有さない場合には副ケース側封止部４０１に保持部４０５を設ける必要性は大幅に低下する。つまり、基板ケース２６３の開封を必要としない遊技機（例えばゲームセンタに設置されるいわゆるアーケードゲーム機など）に本発明を適用する場合は、副ケース部分４００に１つの主ケース側封止部４０１を設ければよい。この場合、副ケース側封止部４０１に封止部材７００を仮留めしておく必要がないので、保持部４０５を設けなくてもよい。
【０１１７】
また、上記実施形態では、主ケース側封止部５０１（第１又は第２封止部）を中空の略直方体形状としているが、主ケース側封止部５０１は、図２５に示すように、挿通孔５０３を有する板状であっても構わない。この場合、封止部材７００の係止部７０４が外部に露出されることになる。仮に、係止部７０４が削られるなどして基板ケース２６３が不正に開封されたとしても、本発明では、上述の如く特殊なカシメを行う封止部材７００を使用しているので、元の封印状態に復元することが困難であり、不正な開封を見破ることが容易である。
【０１１８】
また、上記実施形態では、封止部材７００を異径円管状に形成してあるが、図２６に示すように、角管状に形成しても構わない。同図では、封止部材７００の外形を角柱状とし、内形を円形孔状としている。この場合、主ケース側封止部５０１の挿通孔５０３または副ケース側封止部４０１の挿通孔４０３の少なくともいずれか一方を封止部材７００に係合する角形孔とすることで、主ケース側封止部５０１及び副ケース側封止部４０１に対する封止部材７００の回転を規制することができる。つまり、上記実施形態では、副ケース側封止部４０１の内周部が封止部材７００の回転を規制する係合部４０８になっているが、図２６に示すような場合には、挿通孔４０３及び／又は５０３そのものを係合部とすることも可能である。なお、図２６では、封止部材７００の全体を角管状としているが、少なくとも筒状部７０２を角管状としてあれば、図２６の場合と同様の作用効果を享受できる。すなわち、筒状部７０２が角管状であれば、螺合部７０３は円筒状であってもよい。
【０１１９】
さらに、封止部材７００のフランジ７０１と副ケース側封止部４０１との接触部の摩擦係数を高くして、例えば、フランジ７０１の周面にロ−レット仕上げを行う、等して封止部材７００と副ケース側封止部４０１の相対回転を規制するようにしてもよい。この場合、封止部材７００のフランジ７０１に対する副ケース側封止部４０１の接触部が係合部となる。
【０１２０】
また、封止部材７００のフランジ７０１と副ケース側封止部４０１との接触部のいずれか一方側に凹部を設け、他方側に前記凹部に嵌合する凸部を設けることによっても、封止部材７００と副ケース側封止部４０１の相対回転を規制することができる。図２７（Ａ）はフランジ７０１の先端側の面に凸部７０６を設ける一方、副ケース側封止部４０１の内側底面に凹部４０９を設けた例を示す図で、同図（Ｂ）はフランジ７０１の先端側の面に凹部７０７を設ける一方、主ケース側封止部４０１の内側底面に凸部４１０を設けた例を示す図である。これらの場合、凹部４０９又は凸部４１０が封止部材７００の相対回転を規制する係合部となる。
【０１２１】
さらに、封止部材７００の筒状部７０２と副ケース側封止部４０１の挿通孔４０３及び／又は主ケース側封止部５０１の挿通孔５０３とのいずれか一方側に凹部を設け、他方側に前記凹部に嵌合する凸部を設けることによっても、封止部材７００と副ケース側封止部４０１の相対回転を規制することができる。図２８（Ａ）は封止部材７００の筒状部７０２が円筒状であって、筒状部７０２の外周面に凸部７０８を設ける一方、副ケース側封止部４０１の挿通孔４０３又は主ケース側封止部５０１の挿通孔５０３の内周面に凹部４１１又は５１１を設けた例を示す図で、同図（Ｂ）は封止部材７００の筒状部７０２が円筒状であって、筒状部７０２の外周面に凹部７０９を設ける一方、副ケース側封止部４０１の挿通孔４０３又は主ケース側封止部５０１の挿通孔５０３の内周面に凸部４１２又は５１２を設けた例を示す図である。これらの場合、凹部４１１,５１１又は凸部４１２，５１２が封止部材７００の相対回転を規制する係合部となる。
【０１２２】
また、上記実施形態では、封止部材７００の肉厚をほぼ一様に形成してあるが、封止部材７００の肉厚は部位によって相違させてもよい。
【０１２３】
例えば、図２９（Ａ）に示す封止部材７００は、螺合部７０３の外径が筒状部７０２と同径になっている点で、上記実施形態と相違している。また、同図（Ｂ）に示す封止部材７００は、螺合部７０３の外径が筒状部７０２よりも大径になっている点で、上記実施形態と相違している。いずれの場合も封止部材７００の内周面形状は、上記実施形態とほぼ同じである。このため、螺合部７０３の肉厚が筒状部７０２よりも厚くなっている。同図（Ａ）（Ｂ）の封止部材７００はいずれも、螺合部７０３とネジ８００の螺合強度が高く、副ケース側封止部４０１の挿通孔５０３から突出する封止部材７００の筒状部７０２が軸方向の圧縮力により塑性変形（拡径）しやすくなる。
【０１２４】
図３０（Ａ）に示す封止部材７００は、封止部材７００の筒状部７０２のうち主ケース側封止部５０１（第１又は第２封止部）の挿通孔５０３から突出する部分（以下、変形部７０５という。）を外径側に膨らませて形成してある。当該封止部材７００の肉厚は、螺合部７０３、筒状部７０２、変形部７０５の順に薄くなっている。また、同図（Ｂ）に示す封止部材７００は、同図（Ａ）と同様、封止部材７００の変形部７０５を外径側に膨らませて形成してあるが、封止部材７００の肉厚が筒状部７０２、螺合部７０３、変形部７０５の順に薄くなっている点で同図（Ａ）の封止部材７００と相違している。いずれの封止部材７００も変形部７０５が最も塑性変形しやすい構成とされるが、筒状部７０２の強度が相違している。同図（Ａ）の封止部材７００は、主ケース側封止部５０１及び副ケース側封止部４０１（第１又は第２封止部）の挿通孔５０３，４０３に挿し通した際に、筒状部７０２の一部（変形部７０５よりも基端側の部分）が主ケース側封止部５０１の挿通孔５０３から突出している場合に好適である。変形部７０５が拡径して係止部７０４が形成されたのち、主ケース側封止部５０１の挿通孔５０３から突出した筒状部７０２の一部が圧縮されて係止部７０４が主ケース側封止部５０１に接触するからである。同図（Ｂ）の封止部材７００は、主ケース側封止部５０１及び副ケース側封止部４０１の挿通孔５０３，４０３に挿し通した際に、変形部７０５が主ケース側封止部５０１の挿通孔５０３に近接している場合に好適である。変形部７０５が拡径して係止部７０４が形成されるとすぐに、係止部７０４が主ケース側封止部５０１に接触するからである。なお、同図（Ａ）（Ｂ）では、封止部材７００の変形部７０５を外径側に膨らませた形状として断面コ字状のものを示したが、断面が例えば円弧のような曲線状や三角形状（いずれも図示略）などであってもほぼ同様の作用効果を享受できる。
【０１２５】
また、上記実施形態では、筒状部７０２の肉厚を一様にしているが、図３１に示すように、変形部７０５の内周面に環状溝７１０を形成して筒状部７０２よりも変形部７０５を薄く形成してもよい。この場合も、封止部材７００の薄肉の変形部７０５が軸方向の圧縮力により拡径しやすくなる。
【０１２６】
このほか、封止部材７００を部位ごとに相違する材料で構成することもできる。例えば、筒状部７０２の材料として螺合部７０３及び変形部７０５の材料よりも硬いもの（塑性変形しにくいもの）を使用する。相違する材料同士は圧着等により接合する。
【図面の簡単な説明】
【０１２７】
【図１】パチンコ機の正面図である。
【図２】外枠に対して内枠と前面枠セットとを開放した状態を示す斜視図である。
【図３】パチンコ機から前面枠セットを取り外した状態を示す正面図である。
【図４】遊技盤の構成を示す正面図である。
【図５】前面枠セットの背面図である。
【図６】パチンコ機の背面図である。
【図７】パチンコ機の背面構成を主要部品毎に分解して示す分解斜視図である。
【図８】内枠に遊技盤を組み付けた状態でその構成を示す背面図である。
【図９】内枠を後方より見た斜視図である。
【図１０】支持金具の構成を示す斜視図である。
【図１１】第１制御基板ユニットの正面図である。
【図１２】第１制御基板ユニットの斜視図である。
【図１３】第１制御基板ユニットの分解斜視図である。
【図１４】第１制御基板ユニットを裏面から見た分解斜視図である。
【図１５】第２制御基板ユニットの正直図である。
【図１６】第２制御基板ユニットの斜視図である。
【図１７】第２制御基板ユニットの分解斜視図である。
【図１８】裏パックユニットの正面図である。
【図１９】裏パックユニットの分解斜視図である。
【図２０】基板ケースの分解斜視図である。
【図２１】（Ａ）図乃至（C）図は基板ケースの封印工程を示す要部拡大断面図で、（Ａ）図は封止部材が基板ケースの封印に使用されず仮留めされている状態を、（Ｂ）図は封止部材を主ケース側封止部及び副ケース側封止部の各挿通孔に挿し通した状態を、（Ｃ）図は挿通孔に挿し通した封止部材にネジをねじ込んだ状態をそれぞれ示す図である。
【図２２】（Ａ）図乃至（E）図は基板ケースの封印工程を示す要部拡大断面図で、（Ａ）図は封止部材が基板ケースの封印に使用されず仮留めされている状態を、（Ｂ）図は封止部材を主ケース側封止部及び副ケース側封止部の各挿通孔に挿し通しネジをねじ込んだ状態を、（Ｃ）図はネジを進行させた状態を、（Ｄ）図はネジの回転により封止部材を加締めた状態を、（E）図はネジを抜いた状態をそれぞれ示す図である。
【図２３】（A）図乃至（C）図は、基板ケースの封印工程を示す要部の斜視図で、封止部材及びネジを挿通する前工程の状態、(B)図 は、封止部材を挿通した状態、（C）図は、封止部材を挿通した状態を別の角度から見た状態を夫々示す。
【図２４】封印された基板ケースを開封した状態を示す斜視図である。
【図２５】副ケース側封止部を板状とした副ケース部分の斜視図である。
【図２６】角管状に形成した封止部材の斜視図である。
【図２７】（Ａ）図は封止部材のフランジに凸部を設けると共に副ケース側封止部に凹部を設けた状態を示す縦断面図で、（Ｂ）図は封止部材のフランジに凹部を設けると共に副ケース側封止部に凸部を設けた状態を示す縦断面図である。
【図２８】（Ａ）図は封止部材の筒状部の外側面に凸部を設けると共に主ケース側封止部及び／又は副ケース側封止部の挿通孔に凹部を設けた状態を示す横断面図で、（Ｂ）図は封止部材の筒状部の外側面に凹部を設けると共に主ケース側封止部及び／又は副ケース側封止部の挿通孔に凸部を設けた状態を示す横断面図である。
【図２９】（Ａ）図は螺合部と基端側部分の外径が同じ封止部材を示す図で、（Ｂ）図は螺合部の外径が基端側部分よりも大径の封止部材を示す図である。
【図３０】（Ａ）図及び（Ｂ）図はともに変形部が膨らんだ封止部材の例を示す図である。
【図３１】変形部の内径面に環状溝を形成した封止部材の一例を示す図である。
【符号の説明】
【０１２８】
２６１        主制御装置
２６３        基板ケース
２６４        封止機構
４００        主ケース部分（第１ケース）
４０１        主ケース側封止部（第１封止部）
４０３        挿通孔
４０４        舌片
４０５        保持部
４０５ａ      爪部
４０８        係合部
５００        副ケース部分（第２ケース）
５０１        副ケース側封止部（第２封止部）
５０３        挿通孔
７００        封止部材
７０１        フランジ
７０２        筒状部
７０３        螺合部
７０４        係止部
７０５        変形部
８００        ネジ（軸力発生手段）
８０１        ネジ頭（鍔部）
【図１】
2007215626.tif 000003
【図２】
2007215626.tif 000004
【図３】
2007215626.tif 000005
【図４】
2007215626.tif 000006
【図５】
2007215626.tif 000007
【図６】
2007215626.tif 000008
【図７】
2007215626.tif 000009
【図８】
2007215626.tif 000010
【図９】
2007215626.tif 000011
【図１０】
2007215626.tif 000012
【図１１】
2007215626.tif 000013
【図１２】
2007215626.tif 000014
【図１３】
2007215626.tif 000015
【図１４】
2007215626.tif 000016
【図１５】
2007215626.tif 000017
【図１６】
2007215626.tif 000018
【図１７】
2007215626.tif 000019
【図１８】
2007215626.tif 000020
【図１９】
2007215626.tif 000021
【図２０】
2007215626.tif 000022
【図２１】
2007215626.tif 000023
【図２２】
2007215626.tif 000024
【図２３】
2007215626.tif 000025
【図２４】
2007215626.tif 000026
【図２５】
2007215626.tif 000027
【図２６】
2007215626.tif 000028
【図２７】
2007215626.tif 000029
【図２８】
2007215626.tif 000030
【図２９】
2007215626.tif 000031
【図３０】
2007215626.tif 000032
【図３１】
2007215626.tif 000033